(57)【要約】【課題】コンピュータを必要とせずに、メモリカード内のビデオデータをテレビで再生することができる多機能リモートコントローラを提供すること。【解決手段】ビデオ再生機能をコントロールする操作ボタンセット、メモリカード挿入口、メモリカードＦ内のビデオデータを読み取るメモリカードコントロール回路Ｃ７、メモリカードコントロール回路Ｃ７を制御するコントロール回路Ｃ５、ビデオデータを無線伝送信号Ｇへ変換するコーディング回路Ｃ４、無線伝送信号Ｇを発信する発信部Ｃ２を備えた発信機Ｃと、無線伝送信号Ｇを受信する受信部Ｄ３、無線伝送信号Ｇをビデオデータへ再変換するデコーダ回路Ｄ４、ビデオデータをテレビ信号Ｄ６に変換する受信機デコーディング回路Ｄ５、テレビ信号Ｄ６をテレビＡに伝送する信号コネクタＤ２を備えた受信機Ｄとから成る。【選択図】　　図５
0003098200.tif 000002
【実用新案登録請求の範囲】
【請求項１】
ビデオ再生機能をコントロールする操作ボタンセット、メモリカード挿入口、該メモリカード挿入口に挿入されたメモリカード内のビデオデータを読み取るメモリカードコントロール回路、前記操作ボタンセットからのコントロール信号によりメモリカードコントロール回路を制御するコントロール回路、該コントロール回路に制御されて前記メモリカードコントロール回路から送られたビデオデータを無線伝送信号へ変換するコーディング回路、及び、該無線伝送信号を発信する発信部を備えた発信機と、電源コネクタ、前記発信部が発信した無線伝送信号を受信する受信部、該受信部が受信した無線伝送信号をビデオデータへ再変換するデコーダ回路、該デコーダ回路が変換したビデオデータをテレビが受信可能なテレビ信号に変換する受信機デコーディング回路、及び、テレビと接続可能で、該テレビ信号をテレビに伝送する信号コネクタを備えた受信機とから成り、前記メモリカードコントロール回路は、複数種類のデジタル画像・音声データ関連アプリケーションのファイルを読み取り可能であることを特徴とした多機能リモートコントローラ。
【請求項２】
前記発信機は、前記メモリカードコントロール回路が読み取ったビデオデータを出力する液晶モニタを有すると共に、該液晶モニタの電源をＯＮ／ＯＦＦ操作する電源ボタンを備えた請求項１に記載の多機能リモートコントローラ。
【請求項３】
前記無線伝送信号が、赤外線信号、無線信号或いはブルートゥースである請求項１又は２に記載の多機能リモートコントローラ。
【請求項４】
前記発信機のメモリカード挿入口は、複数種類のメモリカードを受け入れ可能な請求項１乃至３のいずれかに記載の多機能リモートコントローラ。
【請求項５】
前記受信機の信号コネクタは、前記テレビのＳ−ＳＶＩＤＯ及びＡＶ端子と接続可能な請求項１乃至４のいずれかに記載の多機能リモートコントローラ。
【考案の詳細な説明】
【０００１】
【考案の属する技術分野】
本考案は、テレビ用の多機能リモートコントローラに関する。
【０００２】
【従来の技術】
従来、テレビＡを別体のリモートコントローラＢで遠隔操作する技術が知られている。ところが、従来のリモートコントローラＢは、たんにテレビＡの音量とチャンネルをコントロールするだけで、機能が単純で変化に乏しかった。そして、このデータデジタル化時代にあって、デジタルカメラの画像など、多くの影像や音楽がデジタル化されているにもかかわらず、デジタル化製品と互換性が無く、デジタル化製品内のデータを再生するときには、ほとんどの場合コンピュータを必要としていた。
【０００３】
【考案が解決しようとする課題】
本考案の目的は、コンピュータを必要とせずに、メモリカード内のデジタル化された影像・音声データをテレビで再生することができる多機能リモートコントローラを提供することにある。
【０００４】
【課題を解決するための手段】
本考案の多機能リモートコントローラは、ビデオ再生機能をコントロールする操作ボタンセット、メモリカード挿入口、該メモリカード挿入口に挿入されたメモリカード内のビデオデータを読み取るメモリカードコントロール回路、前記操作ボタンセットからのコントロール信号によりメモリカードコントロール回路を制御するコントロール回路、該コントロール回路に制御されて前記メモリカードコントロール回路から送られたビデオデータを無線伝送信号へ変換するコーディング回路、及び、該無線伝送信号を発信する発信部を備えた発信機と、電源コネクタ、前記発信部が発信した無線伝送信号を受信する受信部、該受信部が受信した無線伝送信号をビデオデータへ再変換するデコーダ回路、該デコーダ回路が変換したビデオデータをテレビが受信可能なテレビ信号に変換する受信機デコーディング回路、及び、テレビと接続可能で、該テレビ信号をテレビに伝送する信号コネクタを備えた受信機とから成り、前記メモリカードコントロール回路は、複数種類のデジタル画像・音声データ関連アプリケーションのファイルを読み取り可能である。
【０００５】
発信機にメモリカードを挿入し、操作ボタンセットを操作するだけで、コンピュータを必要とせずに、メモリカードに保存したビデオデータをテレビで再生することができる。
複数種類のアプリケーションによるデジタルデータを読み取り可能で、汎用性が高い。
【０００６】
発信機は、前記メモリカードコントロール回路が読み取ったビデオデータを出力する液晶モニタを有すると共に、該液晶モニタの電源をＯＮ／ＯＦＦ操作する電源ボタンを備えても良い。
無線伝送信号は、赤外線信号、無線信号或いはブルートゥースとすることができる。
汎用性を高めるために、発信機のメモリカード挿入口は、複数種類のメモリカードを受け入れ可能とすると良い。
受信機の信号コネクタは、テレビのＳ−ＳＶＩＤＯ及びＡＶ端子と接続可能としても良い。
【０００７】
【考案の実施の形態】
図２乃至図６は、本考案の第１の実施形態を示す。
図６に示すように、本考案の多機能リモートコントローラは、発信機Ｃと、受信機Ｄとから成る。
発信機Ｃは、図２及び図５に示すように、操作ボタンセットＣ１、発信部Ｃ２、メモリカード挿入口Ｃ３、コーディング回路Ｃ４、コントロール回路Ｃ５、パネル回路Ｃ６及びメモリカードコントロール回路Ｃ７を備える。
【０００８】
操作ボタンセットＣ１は複数の操作ボタンより成り、この操作ボタンセットＣ１及び発信部Ｃ２は発信機Ｃの表面に設置されている。
また、メモリカード挿入口Ｃ３は発信機Ｃの側面に開口しており、ＣＦカード、ＭＤカード、ＳＭカード、ＳＤカード、ＭＭＣカード、ＤＵＯカード、ＸＯカード等の複数種類のメモリカードを受け入れ可能である。
さらに、コーディング回路Ｃ４、コントロール回路Ｃ５、パネル回路Ｃ６及びメモリカードコントロール回路Ｃ７は、発信機Ｃの内部に収納されている。また、メモリカードコントロール回路Ｃ７は、ＭＰＥＧ２、ＭＰＥＧ３、ＭＰＥＧ４、ＡＶＩ、ＲＭ、ＪＰＧ、ＢＭＰその他の複数種類のデジタル画像・音声データ関連アプリケーションのファイルを読み取ることができる。
【０００９】
受信機Ｄは、テレビＡ側へ設置されるようになっており（図６）、図３乃至図５に示すように、その背面に設置された電源コネクタＤ１及び信号コネクタＤ２と、正面に設置された受信部Ｄ３と、内部に収納されたデコーダ回路Ｄ４及び受信機デコーディング回路Ｄ５を備える。
信号コネクタＤ２は、Ｓ−ＳＶＩＤＯ、ＡＶ端子等のテレビ信号入力端子へ接続可能であり、このような端子を有するテレビＡとコードで接続される。電源コネクタＤ１は屋内電源等に接続される。
【００１０】
発信機Ｃのメモリカード挿入口Ｃ３へメモリカードＦ（図５）を挿入すると、メモリカードコントロール回路Ｃ７がメモリカードＦ内にデジタル化されて保存されている影像・音声のビデオデータを読み取る。操作ボタンセットＣ１を操作すると、パネル回路Ｃ６を介してコントロール回路Ｃ５へコントロール信号が発信され、コントロール回路Ｃ５はメモリカードコントロール回路Ｃ７を制御し、読み取ったビデオデータをコーディング回路Ｃ４へ送る。コーディング回路Ｃ４は受信したビデオデータを、赤外線信号、無線信号、ブルートゥース等の無線伝送信号Ｇに変換し、発信部Ｃ２から発信する。
【００１１】
受信機Ｄの受信部Ｄ３で受信された無線伝送信号Ｇは、デコーダ回路Ｄ４によりビデオデータに再変換されて受信機コーディング回路Ｄ５へ送られる。
受信機コーディング回路Ｄ５は、受け取ったビデオデータをテレビＡが受信可能なテレビ信号Ｄ６に変換して、信号コネクタＤ２からテレビＡに送り、テレビＡのモニタ及びスピーカから出力する。
なお、操作ボタンセットＣ１の内、所定の操作ボタンを操作することにより、テレビＡで出力するビデオデータの順序、サイズ、反転等のビデオ再生機能をコントロールすることができる。
【００１２】
図７及び図８は、本考案の第２の実施形態を示す。
発信機Ｅは、操作ボタンセットＥ１、発信部Ｅ２、メモリカード挿入口Ｅ３、コーディング回路Ｅ４、コントロール回路Ｅ５、パネル回路Ｅ６、メモリカードコントロール回路Ｅ７、映像処理回路Ｅ８、液晶モニタＥ９及び電源ボタンＥ１０を備える。
液晶モニタＥ９及び電源ボタンＥ１０は、発信機Ｅの表面に設置され、映像処理回路Ｅ８は発信機Ｅに内蔵される。
【００１３】
メモリカードコントロール回路Ｅ７は、読み取ったビデオデータをコーディング回路Ｃ４へ送るのと同時に、映像処理回路Ｅ８を介して液晶モニタＥ９へも送り、テレビＡの画面及び液晶モニタＥ９から影像を出力する。
また、電源ボタンＥ１０により、液晶モニタＥ９をＯＮ／ＯＦＦ操作することができる。
その他の構成は、第１の実施形態とほぼ同様なので、同一部分に同一符号を付して、詳細な説明は省略する。
【００１４】
【考案の効果】
本考案によれば、コンピュータを接続することなく、簡単な操作で、発信機に挿入したメモリカードのビデオデータを読み取って、テレビで再生することができる。
また、複数種類のデジタル影像・音声データ関連アプリケーションのファイルを読み取ることが可能なため、汎用性が高く、デジタル化時代に対応することができる。
【図面の簡単な説明】
【図１】従来技術を説明する斜視図。
【図２】第１の実施形態に係る発信機を示し、（ア）は全体平面図、（イ）は要部斜視図。
【図３】第１の実施形態に係る受信機を一端側から視た斜視図。
【図４】第１の実施形態に係る受信機を他端側から視た斜視図。
【図５】第１の実施形態を示す多機能リモートコントローラの模式図。
【図６】第１の実施形態を示す多機能リモートコントローラの使用状態の斜視図。
【図７】第２の実施形態に係る発信機の斜視図。
【図８】第２の実施形態を示す多機能リモートコントローラの模式図。
【符号の説明】
Ａ　テレビ
Ｃ，Ｅ　発信機
Ｃ１，Ｅ１　操作ボタンセット
Ｃ２，Ｅ２　発信部
Ｃ３，Ｅ３　メモリカード挿入口
Ｃ４，Ｅ４　コーディング回路
Ｃ５，Ｅ５　コントロール回路
Ｃ６，Ｅ６　パネル回路
Ｃ７，Ｅ７　メモリカードコントロール回路
Ｄ　受信機
Ｄ１　電源コネクタ
Ｄ２　信号コネクタ
Ｄ３　受信部
Ｄ４　デコーダ回路
Ｄ５　受信機コーディング回路
Ｄ６　テレビ信号
Ｅ８　映像処理回路
Ｅ９　液晶モニタ
Ｅ１０　電源ボタン
Ｆ　メモリカード
Ｇ　無線伝送信号
【図１】
0003098200.tif 000003
【図２】
0003098200.tif 000004
【図３】
0003098200.tif 000005
【図４】
0003098200.tif 000006
【図５】
0003098200.tif 000007
【図６】
0003098200.tif 000008
【図７】
0003098200.tif 000009
【図８】
0003098200.tif 000010